(57)【要約】【課題】メインディスプレイとサブディスプレイを具えた折り畳み式電子機器において、ディスプレイアセンブリを収容すべきケーシングの薄型化を図る。【解決手段】本発明に係る折り畳み式電子機器は、本体と蓋体を互いに開閉可能に連結してなり、蓋体の内部には、メインディスプレイ４とサブディスプレイ５を互いに背中合わせの姿勢で保持するフレーム６が設置され、メインディスプレイ４から伸びるフレキシブルリード４１のチップ搭載領域４２と、サブディスプレイ５から伸びるフレキシブルリード５１のチップ搭載領域５３とが、フレーム６に設けた開口部にて互いに対向し、両チップ搭載領域４２、５３の対向面には、互いに食い違いの位置関係で電子回路チップ４３、５４が搭載されている。【選択図】　　　図９
2004088263.tif 000002
【特許請求の範囲】
【請求項１】
本体（１）と蓋体（２）を互いに開閉可能に連結してなり、蓋体（２）の内面にはメインディスプレイ（４）の画面を露出させると共に、蓋体（２）の背面にはサブディスプレイ（５）の画面を露出させた折り畳み式電子機器において、蓋体（２）の内部には、メインディスプレイ（４）とサブディスプレイ（５）を互いに背中合わせの姿勢で保持するフレーム（６）が設置され、メインディスプレイ（４）から伸びるフレキシブルリード（４１）のチップ搭載領域（４２）と、サブディスプレイ（５）から伸びるフレキシブルリード（５１）のチップ搭載領域（５３）とが、フレーム（６）に設けた開口部にて互いに対向し、両チップ搭載領域（４２）（５３）の対向面には、互いに食い違いの位置関係で電子回路チップ（４３）（５４）が搭載されていることを特徴とする折り畳み式電子機器。
【請求項２】
サブディスプレイ（５）から伸びるフレキシブルリード（５１）は、その先端部がフレーム（６）側に折り返されて、折り返されたリード部のフレーム（６）との対向面がチップ搭載領域（５３）となっている請求項１に記載の折り畳み式電子機器。
【請求項３】
フレーム（６）には、サブディスプレイ（５）に覆われた第１領域に隣接する第２領域に、前記開口部が設けられ、該第２領域上でサブディスプレイ（５）から伸びるフレキシブルリード（５１）が折り返されて、チップ搭載領域（５３）に搭載された電子回路チップ（５４）がフレーム（６）の開口部に臨んでいる請求項２に記載の折り畳み式電子機器。
【請求項４】
メインディスプレイ（４）から伸びるフレキシブルリード（４１）は、フレーム（６）側に折り返されて、折り返されたリード部のフレーム（６）との対向面がチップ搭載領域（４２）となって、該チップ搭載領域（４２）に搭載された電子回路チップ（４３）がフレーム（６）の開口部に臨んでいる請求項３に記載の折り畳み式電子機器。
【発明の詳細な説明】
【０００１】
【発明の属する技術分野】
本発明は、折り畳み式携帯電話機の如く、本体と蓋体を互いに開閉可能に連結してなる折り畳み式電子機器に関するものである。
【０００２】
【従来の技術】
図１及び図２に示す如く、折り畳み式携帯電話機においては、複数の入力キー（１１）が配列された本体（１）と、メインディスプレイ（４）を具えた蓋体（２）とが、ヒンジ機構（３）を介して互いに連結され、開閉が可能となっている。
又、蓋体（２）の外面には、サブディスプレイ（図示省略）の表示窓（２３）が設けられており、蓋体（２）を閉じた状態においても、着信を報知する表示等が可能となっている。
【０００３】
従来、この様な折り畳み式携帯電話機においては、図１０〜図１２に示す如く、枠体状のフレーム（８）にメインディスプレイ（９）とサブディスプレイ（７）を互いに背中合わせの姿勢で設置して、ディスプレイアセンブリ（６０）が構成され、該ディスプレイアセンブリ（６０）が扁平なケーシングの内部に収容される。
メインディスプレイ（９）の端部からはフレキシブルリード（９１）が引き出され、該フレキシブルリード（９１）の上面に、メインディスプレイ（９）の表示動作のための複数の電子回路チップ（９２）が搭載されている。又、サブディスプレイ（７）からはフレキシブルリード（７１）が引き出され、該フレキシブルリード（７１）の上面に、サブディスプレイ（７）の表示動作のための複数の電子回路チップ（７２）が搭載されている。
【０００４】
【発明が解決しようとする課題】
しかしながら、メインディスプレイ（９）とサブディスプレイ（７）を具えた従来の折り畳み式携帯電話機においては、図１２に示す如く、メインディスプレイ（９）から伸びて複数の電子回路チップ（９２）を搭載したフレキシブルリード（９１）と、サブディスプレイ（７）から伸びて複数の電子回路チップ（７２）を搭載したフレキシブルリード（７１）とが、２段に積み重ねられた構造を有しているため、この部分でディスプレイアセンブリ（６０）の高さＴ′が大きくなって、該ディスプレイアセンブリ（６０）を収容すべきケーシングの厚さが大きくなる問題があった。
そこで本発明の目的は、メインディスプレイとサブディスプレイを具えた折り畳み式電子機器において、ディスプレイアセンブリを収容すべきケーシングの薄型化を図ることである。
【０００５】
【課題を解決する為の手段】
本発明に係る折り畳み式電子機器は、本体（１）と蓋体（２）を互いに開閉可能に連結してなり、蓋体（２）の内部には、メインディスプレイ（４）とサブディスプレイ（５）を互いに背中合わせの姿勢で保持するフレーム（６）が設置されている。メインディスプレイ（４）から伸びるフレキシブルリード（４１）のチップ搭載領域（４２）と、サブディスプレイ（５）から伸びるフレキシブルリード（５１）のチップ搭載領域（５３）とは、フレーム（６）に設けた開口部にて互いに対向し、両チップ搭載領域（４２）（５３）の対向面には、互いに食い違いの位置関係で電子回路チップ（４３）（５４）が搭載されている。
【０００６】
上記本発明の折り畳み式電子機器においては、メインディスプレイ（４）から伸びるフレキシブルリード（４１）上の電子回路チップ（４３）と、サブディスプレイ（５）から伸びるフレキシブルリード（５１）上の電子回路チップ（５４）とが、フレーム（６）に設けた開口部内にて、互いに食い違いの位置関係で噛み合っているので、メインディスプレイ（４）の電子回路チップ（４３）の高さ寸法とサブディスプレイ（５）の電子回路チップ（５４）の高さ寸法とが一部重複することとなり、その分だけディスプレイアセンブリ（２０）の薄型化が可能となる。
【０００７】
具体的には、サブディスプレイ（５）から伸びるフレキシブルリード（５１）は、その先端部がフレーム（６）側に折り返されて、折り返されたリード部のフレーム（６）との対向面がチップ搭載領域（５３）となっている。
該具体的構成によれば、サブディスプレイ（５）から伸びるフレキシブルリード（５１）の両面の内、サブディスプレイ（５）の画面と同じ方向を向いた片面にのみチップ搭載領域（５３）が設けられている場合にも、該チップ搭載領域（５３）を他方のチップ搭載領域（４２）に対向させることが出来る。
【０００８】
他の具体的構成において、フレーム（６）には、サブディスプレイ（５）に覆われた第１領域に隣接する第２領域に、前記開口部が設けられ、該第２領域上でサブディスプレイ（５）から伸びるフレキシブルリード（５１）が折り返されて、チップ搭載領域（５３）に搭載された電子回路チップ（５４）がフレーム（６）の開口部に臨んでいる。
一方、メインディスプレイ（４）から伸びるフレキシブルリード（４１）は、フレーム（６）側に折り返されて、折り返されたリード部のフレーム（６）との対向面がチップ搭載領域（４２）となって、該チップ搭載領域（４２）に搭載された電子回路チップ（４３）がフレーム（６）の開口部に臨んでいる。
上記具体的構成によれば、フレーム（６）の第２領域内で、両チップ搭載領域（４２）（５３）を互いに対向させることが可能であり、これによって、両チップ搭載領域（４２）（５３）上の電子回路チップ（４３）（５４）をフレーム（６）の開口部内に収容することが出来る。
【０００９】
【発明の効果】
本発明に係る折り畳み式電子機器によれば、メインディスプレイ（４）に接続された電子回路チップ（４３）とサブディスプレイ（５）に接続された電子回路チップ（５４）とを互いに噛み合わせて配置するので、ディスプレイアセンブリ（２０）の薄型化が可能となり、ひいてはケーシングの薄型化が可能となる。
【００１０】
【発明の実施の形態】
以下、本発明を折り畳み式携帯電話機に実施した形態につき、図面に沿って具体的に説明する。
本発明に係る折り畳み式携帯電話機においては、図１及び図２に示す如く、複数の入力キー（１１）が配列された本体（１）と、メインディスプレイ（４）を具えた蓋体（２）とが、ヒンジ機構（３）を介して互いに連結され、開閉が可能となっている。
又、蓋体（２）の外面には、サブディスプレイ（図示省略）の表示窓（２３）が設けられており、蓋体（２）を閉じた状態においても、着信を報知する表示等が可能となっている。
【００１１】
蓋体（２）は、図３及び図４に示す如く、下半ケース（２１）と上半ケース（２２）によって形成されるケーシング内に、ディスプレイアセンブリ（２０）を収容して構成される。ディスプレイアセンブリ（２０）は、枠体状の金属製フレーム（６）にメインディスプレイ（４）とサブディスプレイ（５）を互いに背中合わせの姿勢で設置したものである。
下半ケース（２１）には、フレーム（６）の画面を露出させるための開口（２４）が形成されている。又、上半ケース（２２）には、サブディスプレイ（５）の画面に対向して、前記の表示窓（２３）が設けられている。
【００１２】
図５及び図６に示す如く、ディスプレイアセンブリ（２０）を構成するメインディスプレイ（４）の端部からはフレキシブルリード（４１）が引き出され、該フレキシブルリード（４１）はフレーム（６）側へ１８０度折り返されて、折り返されたリード部のフレーム（６）との対向面にチップ搭載領域（４２）が設けられている。該チップ搭載領域（４２）上には、メインディスプレイ（４）の表示動作のための複数の電子回路チップ（４３）（４４）が、２つのグループに分類されて搭載されている。
【００１３】
一方、ディスプレイアセンブリ（２０）を構成するサブディスプレイ（５）の端部からはフレキシブルリード（５１）が引き出され、該フレキシブルリード（５１）は、フレーム（６）の表面に沿って伸びた後、その先端部（５２）がフレーム（６）側へ１８０度折り返され、折り返されたリード部のフレーム（６）との対向面がチップ搭載領域（５３）となっている。該チップ搭載領域（５３）上には、サブディスプレイ（５）の表示動作のための複数の電子回路チップ（５４）が搭載されている。
【００１４】
フレーム（６）の表面には、図中の右側の端部に、サブディスプレイ（５）の設置部（６３）が形成されると共に、フレーム（６）の裏面には、その全領域に跨って、メインディスプレイ（４）の設置部（６４）が形成されている。
又、フレーム（６）には、サブディスプレイ設置部（６３）に隣接する領域に、メインディスプレイ（４）から伸びるフレキシブルリード（４１）上の第１グループの電子回路チップ（４３）とサブディスプレイ（５）から伸びるフレキシブルリード（５１）上の複数の電子回路チップ（５４）とが臨出すべき第１の開口（６１）が形成されると共に、メインディスプレイ（４）から伸びるフレキシブルリード（４１）上の第２グループの電子回路チップ（４４）が臨出すべき第２の開口（６２）が形成されている。
【００１５】
尚、メインディスプレイ（４）から伸びるフレキシブルリード（４１）の第１グループの電子回路チップ（４３）は、図７に示す如く、フレーム（６）の第１の開口（６１）内の一方の端部領域に片寄せて配置されているの対し、サブディスプレイ（５）から伸びるフレキシブルリード（５１）上の電子回路チップ（５４）は、フレーム（６）の第１の開口（６１）内の他方の端部領域に片寄せて配置されている。
【００１６】
従って、図８に示す如くメインディスプレイ（４）が取り付けられたフレーム（６）にサブディスプレイ（５）を設置して、図９に示す如くディスプレイアセンブリ（２０）を構成した場合、フレーム（６）の第１の開口（６１）内にて、メインディスプレイ（４）から伸びるフレキシブルリード（４１）の第１グループの電子回路チップ（４３）と、サブディスプレイ（５）から伸びるフレキシブルリード（５１）上の電子回路チップ（５４）とは、互いに食い違いの位置関係で噛み合うこととなる。
【００１７】
この結果、両フレキシブルリード（４１）（５１）上の電子回路チップ（４３）（５４）が互いに噛み合った位置におけるディスプレイアセンブリ（２０）の高さＴは、両フレキシブルリード上の電子回路チップが２段に積み重ねられていた従来のディスプレイアセンブリに比べて、電子回路チップどうしの噛み合い深さだけ小さくなる。
これによって、蓋体（２）を構成するケーシングの薄型化を図ることが可能となる。
【００１８】
尚、本発明の各部構成は上記実施の形態に限らず、特許請求の範囲に記載の技術的範囲内で種々の変形が可能である。又、本発明は、折り畳み式携帯電話機に限らず、折り畳み式の種々の電子機器に実施することも可能である。
【図面の簡単な説明】
【図１】本発明に係る折り畳み式携帯電話機の閉じた状態を示す斜視図である。
【図２】本発明に係る折り畳み式携帯電話機の開いた状態を示す斜視図である。
【図３】該折り畳み式携帯電話機を構成する蓋体の分解斜視図である。
【図４】図３とは異なる方向から見た同上の分解斜視図である。
【図５】ディスプレイアセンブリの分解斜視図である。
【図６】図５とは異なる方向から見た同上の分解斜視図である。
【図７】フレームからサブディスプレイを分解した状態の斜視図である。
【図８】同上の断面図である。
【図９】ディスプレイアセンブリの組み立て状態の断面図である。
【図１０】従来の折り畳み式携帯電話機において、フレームからサブディスプレイを分解した状態の斜視図である。
【図１１】同上の断面図である。
【図１２】従来のディスプレイアセンブリの組み立て状態の断面図である。
【符号の説明】
（１）　本体
（２）　蓋体
（２０）　ディスプレイアセンブリ
（２３）　表示窓
（３）　ヒンジ機構
（４）　メインディスプレイ
（４１）　フレキシブルリード
（４２）　チップ搭載領域
（４３）　電子回路チップ
（４４）　電子回路チップ
（５）　サブディスプレイ
（５１）　フレキシブルリード
（５３）　チップ搭載領域
（５４）　電子回路チップ
（６）　フレーム
（６１）　開口
（６２）　開口
【図１】
2004088263.tif 000003
【図２】
2004088263.tif 000004
【図３】
2004088263.tif 000005
【図４】
2004088263.tif 000006
【図５】
2004088263.tif 000007
【図６】
2004088263.tif 000008
【図７】
2004088263.tif 000009
【図８】
2004088263.tif 000010
【図９】
2004088263.tif 000011
【図１０】
2004088263.tif 000012
【図１１】
2004088263.tif 000013
【図１２】
2004088263.tif 000014